(57)【要約】【課題】電線固定の作業性を改善することができ、外観のデザイン性に優れた電線固定具を実現する。【解決手段】電線固定具１００は、電線２０の周囲に巻き付け固定される固定部材３０と、電線２０を径方向外方から挟み込むように本体部が嵌合される第１ケーブルブッシングおよび第２ケーブルブッシングと、を備える。第１ケーブルブッシング４０Ａおよび第２ケーブルブッシング４０Ｂは、各本体部４１Ａ、４１Ｂから電線２０の長手方向に沿って一方向へ延設された係止部材４５を有する。係止部材４５は、固定部材３０を係止する。【選択図】図４
2015225935.tif 000002
【特許請求の範囲】
【請求項１】
パネルに開口された電線取付孔に電線を挿通し当該電線固定するための電線固定具であって、
前記電線の周囲に巻き付け固定される固定部材と、
前記電線を径方向外方から挟み込むようにそれぞれの本体部が嵌合される第１ケーブルブッシングおよび第２ケーブルブッシングと、
を備え、
前記第１ケーブルブッシングおよび第２ケーブルブッシングは、それぞれの本体部から前記電線の長手方向に沿って一方向へ延設された係止部材を有し、該係止部材は前記固定部材を係止することを特徴とする電線固定具。
【請求項２】
前記係止部材は、その内面先端部に前記固定部材を係止する係止爪が形成されていることを特徴とする請求項１に記載の電線固定具。
【請求項３】
前記第１ケーブルブッシングおよび第２ケーブルブッシングは、それぞれ複数の係止部材を有し、前記第１ケーブルブッシングまたは第２ケーブルブッシングの係止部材の間には、前記固定部材が嵌まり込むことを特徴とする請求項１または２に記載の電線固定具。
【請求項４】
前記第１ケーブルブッシングの本体部および第２ケーブルブッシングの本体部の少なくとも一方には、前記電線取付孔に嵌合する支持部材が突設されていることを特徴とする請求項１から３のいずれかに記載の電線固定具。
【発明の詳細な説明】
【技術分野】
【０００１】
本発明は、パネルの貫通孔に電線を固定するための電線固定具に関する。
【背景技術】
【０００２】
電源コードなどの引き出し電線を有する電気機器では、引き出し電線の電気的接続部に負荷が掛からないように、ケーシング・パネルの電線引き出し部に当該引き出し電線を固定する必要がある。たとえば、小容量の無停電電源装置（ＵＰＳ）では、引き出し電線をケーシング・パネルの電線引き出し部に固定するケーブルブッシングが用いられている。
【０００３】
当該ケーブルブッシングに関する技術としては、たとえば、ケース外壁に上端よりＵ字形状に切り欠いた電線引出穴を設け、該電線引出穴に上端より着脱自在に嵌め込む電線固定材を設け、該電線固定材に設けた被係止部に、ケース内部から引き出される電線に巻き付け固定した係止具を係止し、前記ケース外壁からの電線の引出距離を規定した電気接続箱が開示されている（特許文献１参照）。
【先行技術文献】
【特許文献】
【０００４】
【特許文献１】特開２００５−３４１６５９号公報
【発明の概要】
【発明が解決しようとする課題】
【０００５】
引き出し電線を挟み込んで固定する形式のケーブルブッシングの場合、電線の剛性が高いと、当該電線を部分的に屈曲させる作業が困難となるため、電線固定の作業性が悪い。
【０００６】
また、特許文献１の技術によれば、電線に係止具を巻き付け固定し、当該係止具を、電線引出穴に嵌め込んだ第１電線固定材の被係止部に係止し、さらに上から第２電線固定部材で挟む構造になっている。
【０００７】
したがって、特許文献１の技術では、電線を固定するための部品点数が多く、電線固定の作業性が悪くなる。また、パネルをＵ字形状に切り欠いて電線引出穴を形成するので、デザイン性が悪くなる。
【０００８】
本発明は、上記の事情に鑑みてなされたものであり、電線固定の作業性を改善することができ、外観のデザイン性に優れた電線固定具の提供を目的とする。
【課題を解決するための手段】
【０００９】
上記目的を達成するための本発明に係る電線固定具は、パネルに開口された電線取付孔に電線を挿通し当該電線固定するための電線固定具であって、固定部材と、第１ケーブルブッシングおよび第２ケーブルブッシングと、を備える。上記固定部材は、上記電線の周囲に巻き付け固定される。上記第１ケーブルブッシングおよび上記第２ケーブルブッシングは、上記電線を径方向外方から挟み込むようにそれぞれの本体部が嵌合される。
【００１０】
上記第１ケーブルブッシングおよび第２ケーブルブッシングは、それぞれの本体部から上記電線の長手方向に沿って一方向へ延設された係止部材を有する。該係止部材は上記固定部材を係止することを特徴とする。
【発明の効果】
【００１１】
本発明に係る電線固定具は、部品点数が少なく、簡単な手順で第１ケーブルブッシングの本体部および第２ケーブルブッシングの本体部から延設された係止部材の係止爪で固定部材を係止できるので、電線固定の作業性を改善することができる。
【００１２】
また、本発明に係る電線固定具は、パネルに開口された電線取付孔に第１ケーブルブッシングの本体部および第２ケーブルブッシングの本体部を固定するので、外観のデザイン性に優れている。
【図面の簡単な説明】
【００１３】
【図１】第１実施形態に係る電線固定具の斜視図である。
【図２】第１実施形態におけるケーブルブッシングを外面側から見た斜視図である。
【図３】第１実施形態におけるケーブルブッシングを内面側から見た斜視図である。
【図４】第１実施形態に係る電線固定具の取付手順の説明に供する図である。
【図５】第１実施形態に係る電線固定具の取付状態を外面側から見た斜視図である。
【図６】第１実施形態に係る電線固定具の取付状態を内面側から見た斜視図である。
【図７】第２実施形態におけるケーブルブッシングを外面側から見た斜視図である。
【図８】第２実施形態におけるケーブルブッシングを内面側から見た斜視図である。
【図９】第２実施形態に係る電線固定具の取付手順の説明に供する外面側から見た斜視図である。
【図１０】第２実施形態に係る電線固定具の取付手順の説明に供する内面側から見た斜視図である。
【発明を実施するための形態】
【００１４】
以下、図面を参照して、第１および第２実施形態に係る電線固定具について説明する。
【００１５】
第１および第２実施形態に係る電線固定具は、部品点数が少なく、簡単な手順で第１ケーブルブッシングの本体部および第２ケーブルブッシングの本体部から延設された係止部材の係止爪で固定部材を係止する。ケーシングのパネルに電線取付孔が開口され、当該電線取付孔には、第１ケーブルブッシングの本体部および第２ケーブルブッシングの本体部を固定する。したがって、第１および第２実施形態によれば、電線固定の作業性を改善でき、外観のデザイン性に優れた電線固定具を実現できる。
【００１６】
〔第１実施形態〕
＜電線固定具の構成＞
まず、図１から図４を参照して、第１実施形態に係る電線固定具の構成について説明する。図１は第１実施形態に係る電線固定具の斜視図である。図２は第１実施形態におけるケーブルブッシングを外面側から見た斜視図である。図３は第１実施形態におけるケーブルブッシングを内面側から見た斜視図である。図４は第１実施形態に係る電線固定具の取付手順の説明に供する図である。
【００１７】
図１に示すように、第１実施形態に係る電線固定具１００は、固定部材３０と、当該固定部材３０を係止するケーブルブッシング４０を備える。
【００１８】
固定部材３０は、電線２０の周囲に巻き付けて固定する。固定部材３０としては、たとえば、周知の合成樹脂製の結束バンドが好適に用いられる。固定部材３０は、結束バンドに限定されず、ゴムバンドや接着バンドなどのように、肉厚を有し、電線２０の周囲に巻き付けて固定することができる部材であればよい。
【００１９】
電線２０としては、合成樹脂で被覆した電線が用いられる。電線２０の基端部は、ケーシング１０内に収納された不図示の電気機器に電気的に接続されている。電線２０は、図４に示すように、ケーシング１０のパネル１１に開口された電線取付孔１２から外部へと引き出される。第１実施形態の電線取付孔１２は、左右辺が直線で、上下辺が円弧状の長孔として開口されているが、孔形状は限定されない。
【００２０】
図１から図３に示すように、ケーブルブッシング４０は、第１ケーブルブッシング４０Ａと第２ケーブルブッシング４０Ｂとから構成される。第１ケーブルブッシング４０Ａと第２ケーブルブッシング４０Ｂは、電線２０を径方向外方から挟み込むように嵌合される。
【００２１】
第１ケーブルブッシング４０Ａは、電線２０の下側に配置される。第１ケーブルブッシング４０Ａの本体部４１Ａは、概ねＵ字形状を呈している。第１ケーブルブッシング４０Ａの本体部４１Ａの両内側面には、それぞれ直状の凹部４２が形成されている。
【００２２】
他方、第２ケーブルブッシング４０Ｂは、電線２０の上側に配置される。第２ケーブルブッシング４０Ｂの本体部４１Ｂは、概ね円弧状を呈している。第２ケーブルブッシング４０Ｂの本体部４１Ｂの両外側面には、それぞれ直状の凸部４３が形成されている。当該第２ケーブルブッシング４０Ｂの本体部４１Ｂの凸部４３は、第１ケーブルブッシング４０Ａの本体部４１Ａの凹部４２にスライド嵌合される。
【００２３】
第１ケーブルブッシング４０Ａの本体部４１Ａのパネル当接面の両内側縁部には、一対のほぼ平板状の支持部材４４が突設されている。各支持部材４４は、電線取付孔１２に挿入しやすいように、先端部から基部まで肉厚が順次増加した傾斜部を有し、基部に凹部を有する。各支持部材部材４４の凹部は、パネル１１に開口された電線取付孔１２の両側辺に嵌合して、ケーブルブッシング４０の横ずれを規制する。
【００２４】
第１ケーブルブッシング４０Ａの本体部４１Ａおよび第２ケーブルブッシング４０Ｂの本体部４１Ｂには、それぞれ一対の係止部材４５が一方向に延設されている。すなわち、本実施形態のケーブルブッシング４０には、上下に合計４箇所の係止部材４５が延設されている。
【００２５】
各係止部材４５は、第１ケーブルブッシング４０Ａの本体部４１Ａおよび第２ケーブルブッシング４０Ｂの本体部４１Ｂから電線２０の長さ方向に向けて、その表面に沿うように延設されている。各係止部材４５は、肉厚の薄い、概ね短冊状の部材である。係止部材４５の外面は、パネル１１に開口された電線取付孔１２の上下辺に当接して、ケーブルブッシング４０の縦ずれを規制する。
【００２６】
各係止部材４５は、固定部材３０をケーブルブッシング４０に係止するための部材である。したがって、各係止部材４５の内面先端部には、係止爪４６が形成されている。各係止爪４６は、電線２０の表面に臨むように、片鏃状（直角三角形状）に形成されている。各係止爪４６は、電線２０の周囲に巻き付けられた固定部材３０を係止する。
【００２７】
第１ケーブルブッシング４０Ａおよび第２ケーブルブッシング４０Ｂの構成材料としては、たとえば、合成樹脂材や硬質ゴム等が挙げられるが、例示の材質に限定されない。
【００２８】
＜電線固定具の作用＞
次に、図１から図６を参照して、第１実施形態に係る電線固定具１００の作用について説明する。図５は第１実施形態に係る電線固定具の取付状態を外面側から見た斜視図である。図６は第１実施形態に係る電線固定具の取付状態を内面側から見た斜視図である。
【００２９】
第１実施形態に係る電線固定具１００は、電線２０の電気的接続部に負荷が掛からないように、ケーシング１０のパネル１１に開口された電線取付孔１２に当該電線２０を固定するための固定具である。
【００３０】
第１実施形態に係る電線固定具１００の取付手順は、図４に示すように、まず、ケーシング１０のパネル１１の外側において、第１ケーブルブッシング４０Ａと第２ケーブルブッシング４０Ｂとを、電線２０を径方向外方から挟み込むように嵌合する。具体的には、第１ケーブルブッシング４０Ａの本体部４１Ａの凹部４２に、第２ケーブルブッシング４０Ｂの本体部４１Ｂの凸部４３をスライド嵌合する。第１ケーブルブッシング４０Ａと第２ケーブルブッシング４０Ｂは、電線２０を挟み込んだ状態で、単一のケーブルブッシング４０として一体化される。
【００３１】
次に、パネル１１の電線取付孔１２内に、ケーブルブッシング４０の各支持部材４４および各係止部材４５が挿入される。
【００３２】
さらに、ケーシング１０のパネル１１の内側において、電線２０の周囲に、固定部材３０を巻き付け固定する。固定部材３０として結束バンドを用いることにより、電線２０の周囲に、簡単かつ強固に固定部材３０を巻き付け固定することができ、低コスト化を図ることができる。
【００３３】
そして、電線２０を引き出し方向へと引っ張ると、電線２０の周囲に巻き付け固定された固定部材３０がケーブルブッシング４０へと次第に近接する。固定部材３０がケーブルブッシング４０の各係止部材４５の先端部に到達すると、片鏃状の係止爪４６の傾斜に沿って、当該係止部材４５が外側へと撓む。最終的には、図５および図６に示すように、係止爪４６が固定部材３０を乗り越えて係止する。係止爪４６が固定部材３０を係止するとケーブルブッシング４０の４つの係止部材４５の間に固定部材３０の直方体状の結束部が嵌まり込む。
【００３４】
このように、ケーブルブッシング４０で電線２０を挟み、ケーブルブッシング４０をパネル１１の電線取付孔１２に取り付け、電線２０を固定部材３０が固定されるまで引っ張るだけで、電線２０をケーシング１０に固定することができる。
【００３５】
第１実施形態に係る電線固定具１００によれば、電線２０の固定のための部品点数が少なく、簡単な手順でケーブルブッシング４０の係止部材４５で固定部材３０を係止できるので、電線固定の作業性を改善することができる。
【００３６】
また、ケーシング１０のパネル１１には、小さな電線取付孔１２が開口され、当該電線取付孔１２にケーブルブッシング４０を挿入固定するので、外観のデザイン性に優れている。
【００３７】
〔第２実施形態〕
次に、図７から図１０を参照して、第２実施形態に係る電線固定具の取付手順について説明する。図７は第２実施形態におけるケーブルブッシングを外面側から見た斜視図である。図８は第２実施形態におけるケーブルブッシングを内面側から見た斜視図である。図９は第２実施形態に係る電線固定具の取付手順の説明に供する外面側から見た斜視図である。図１０は第２実施形態に係る電線固定具の取付手順の説明に供する内面側から見た斜視図である。なお、第１実施形態と同一の構成要素については同一の符号を付し、重複する内容については説明を省略する。
【００３８】
図７および図８に示すように、第２実施形態に係る電線固定具２００は、第１ケーブルブッシング４０Ａと第２ケーブルブッシング４０Ｂとが同一形状に形成されている点が、第１実施形態と異なる。第１ケーブルブッシング４０Ａの本体部４１Ａと第２ケーブルブッシング４０Ｂの本体部４１Ｂは、ほぼ円弧状に形成されている。
【００３９】
また、第２実施形態に係る電線固定具２００は、第１ケーブルブッシング４０Ａの本体部４１Ａと第２ケーブルブッシング４０Ｂの本体部４１Ｂとの嵌合構造が、第１実施形態と異なる。すなわち、第１ケーブルブッシング４０Ａの本体部４１Ａおよび第２ケーブルブッシング４０Ｂの本体部４１Ｂの一側部には凸部２４３が形成され、他側部には凹部２４２が形成されている。第１ケーブルブッシング４０Ａと第２ケーブルブッシング４０Ｂは、第１ケーブルブッシング４０Ａの凹部２４２に第２ケーブルブッシング４０Ｂの凸部２４３を嵌合固定するとともに、第２ケーブルブッシング４０Ｂの凹部２４２に第１ケーブルブッシング４０Ａの凸部２４３を嵌合固定することにより、一体化される。
【００４０】
また、係止部材４５の肉厚が第１の実施形態よりも厚く形成され、撓み難くなっている。係止部材４５の先端部の係止爪２４６は、第１実施形態の係止爪４６よりも厚く、鍵状に形成されている。
【００４１】
さらに、図９および図１０に示すように、第１ケーブルブッシング４０Ａの本体部４１Ａと第２ケーブルブッシング４０Ｂの本体部４１Ｂとをほぼ円弧状に形成したので、長孔状の電線取付孔１２は第１実施形態よりも短く開口されている。そして、電線取付孔１２の上部には、直状の切り欠き部１３が連通している。
【００４２】
第２実施形態に係る電線固定具２００の取付手順は、まず、ケーシング１０のパネル１１の外側において、電線２０の周囲に、固定部材３０が巻き付け固定される。固定部材３０としては、第１の実施形態と同様に、結束バンドを用いることが好ましい。
【００４３】
次に、ケーシング１０のパネル１１の外側において、第１ケーブルブッシング４０Ａと第２ケーブルブッシング４０Ｂとを、電線２０を径方向外方から挟み込むように嵌合する。具体的には、第１ケーブルブッシング４０Ａの本体部４１Ａの凹部４２に、第２ケーブルブッシング４０Ｂの本体部４１Ｂの凸部４３をスライド嵌合する。
【００４４】
その際、第１ケーブルブッシング４０Ａの本体部４１Ａおよび第２ケーブルブッシング４０Ｂの本体部４１Ｂから延出された係止部材４５の片鏃状の係止爪４６が固定部材３０を係止した状態となるように、第１ケーブルブッシング４０Ａと第２ケーブルブッシング４０Ｂとを嵌合する。
【００４５】
第１ケーブルブッシング４０Ａと第２ケーブルブッシング４０Ｂは、電線２０を挟み込み、かつ、係止部材４５の係止爪４６が固定部材３０を係止した状態で、単一のケーブルブッシング４０として一体化される。
【００４６】
そして、ケーシング１０のパネル１１に開口された電線取付孔１２内に、ケーブルブッシング４０の本体部がパネル１１の外側から挿入固定される。
【００４７】
以上のような取付手順を採るのは、ケーブルブッシング４０が固定部材３０から外れ難くなるようにするため、係止部材４５の肉厚を第１の実施形態よりも厚く形成し、撓み難くしているからである。
【００４８】
第２実施形態に係る電線固定具２００は、基本的に第１実施形態に係る電線固定具１００と同様の作用効果を奏する。特に、第２実施形態に係る電線固定具２００によれば、第１ケーブルブッシング４０Ａと第２ケーブルブッシング４０Ｂとを同一形状に形成したので、双方のケーブルブッシング４０Ａ，４０Ｂを同一の成形型で成形できるという有利な効果を奏する。また、第２実施形態に係る電線固定具２００によれば、電線２０をケーシング１０内へ押し込むような過大な力が掛かっても、第１実施形態よりも係止部材４５が撓み難いので、当該係止部材４５の係止爪４６が固定部材３０から外れることはない。
【００４９】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【００５０】
たとえば、上記実施形態では、電線２０を挟んで、第２ケーブルブッシング４０Ｂと第１ケーブルブッシング４０Ａを上下に配置しているが、配置は限定されず、たとえば、左右に配置してもよい。さらに、第１ケーブルブッシング４０Ａの本体部４１Ａの凹部４２に、第２ケーブルブッシング４０Ｂの本体部４１Ｂの凸部４３をスライド嵌合させているが、上記実施形態の嵌合構造に限定されない。
【符号の説明】
【００５１】
１０    ケーシング、
１１    パネル、
１２    電線取付孔、
２０    電線、
３０    固定部材、
４０    ケーブルブッシング、
４０Ａ    第１ケーブルブッシング、
４０Ｂ    第２ケーブルブッシング、
４１Ａ    第１ケーブルブッシングの本体部、
４１Ｂ    第２ケーブルブッシングの本体部、
４４    支持部材、
４５    係止部材、
４６    係止爪、
１００    電線固定具。
【図１】
2015225935.tif 000003
【図２】
2015225935.tif 000004
【図３】
2015225935.tif 000005
【図４】
2015225935.tif 000006
【図５】
2015225935.tif 000007
【図６】
2015225935.tif 000008
【図７】
2015225935.tif 000009
【図８】
2015225935.tif 000010
【図９】
2015225935.tif 000011
【図１０】
2015225935.tif 000012